(57)【特許請求の範囲】
【請求項１】
雑誌又は書籍を重ね合わせて包装した包装物の表面に同一のバーコードである第１及び第２のバーコードが印字された伝票を貼付し、その上から十字形またはキの字形にバンドを掛けて結束するバーコード付き包装体において、
前記伝票は、包装物表面の対角位置に互いに平行で、かつ自動読み取り装置のスキャン方向順に第１及び第２のバーコードが印刷され、一方のバーコードの一部もしくは第１及び第２のバーコードの異なる部分が前記バンドで隠された状態に配置されていることを特徴とするバーコード付き包装体。
【請求項２】
雑誌又は書籍を重ね合わせて包装した包装物の表面に同一のバーコードである第１及び第２のバーコードが印字された伝票を貼付し、その上から十字形またはキの字形にバンドを掛けて結束するバーコード付き包装体において、
前記伝票は、包装物表面の対角位置に互いに直交する方向で、かつ自動読み取り装置のスキャン方向順に第１及び第２のバーコードが印刷され、一方のバーコードの一部もしくは第１及び第２のバーコードの異なる部分が前記バンドで隠された状態に配置されていることを特徴とするバーコード付き包装体。
【請求項３】
請求項１または請求項２に記載のバーコード付き包装体において、前記第１、第２のバーコードの何れか一方は、自動読み取り装置のスキャン順に印刷され、他方はスキャン順と逆方向に印刷されていることを特徴とするバーコード付き包装体。
【発明の詳細な説明】
【０００１】
【発明の属する技術分野】
本発明は、バーコード付きの包装体に関し、特に、同じ内容のバーコードを同平面上の異なった位置に設けて、読み取り時に異なった位置からの読み取り結果を合成することにより、確実にバーコードの自動読み取り率を向上させることのできるバーコード付き包装体に関するものである。
【０００２】
【従来の技術】
従来のバーコード付き包装体は、同一のデータコードが印字された２つのバーコードを含む伝票を貼り付け、その上から十字形あるいはキの字形にバンドが掛けられている。これらの包装体はベルトコンベヤ等に乗せられ、自動バーコードリーダ等の自動読み取り装置で情報を読みとっていた。
【０００３】
【発明が解決しようとする課題】
バーコードはスタートマークとエンドマークとの間にデータが付され、横印字の場合は左端がスタート，右端がエンドであり、縦印字の場合は上端がスタート，下端がエンドである場合が一般である。
しかしながら、バーコードを平行に配置したものにバンドを掛けた場合、被包装物の大きさと、十字形またはキの字形という結束方法の違いとにより、２つ印刷した両方のバーコードの同一部分がバンドで隠されてしまうことも多い。そのため、自動の読み取り装置ではバーコードを読みとることができず、読み取りエラーとなってしまうことがあった。そして、エラーの出たものは、バンドをよけながらハンドバーコードリーダ等で読み取り作業をし直さなければならず、手間がかかるという問題があった。
【０００４】
本発明は、上記の従来技術の問題を解決するためになされたものであって、その目的とするところは、二種類のバーコードの一部が同時にバンドで覆われていても、二種類のバーコードを合成することにより確実に自動読み取り装置で読みとることのできるバーコード付き包装体を提供することにある。
【０００５】
【課題を解決するための手段】
上記目的を達成するために、本発明の請求項１は、雑誌又は書籍を重ね合わせて包装した包装物の表面に同一のバーコードである第１及び第２のバーコードが印字された伝票を貼付し、その上から十字形またはキの字形にバンドを掛けて結束するバーコード付き包装体において、前記伝票は、包装物表面の対角位置に互いに平行で、かつ自動読み取り装置のスキャン方向順に第１及び第２のバーコードが印刷され、一方のバーコードの一部もしくは第１及び第２のバーコードの異なる部分が前記バンドで隠された状態に配置され「合成読み取り可能とした」ていることを特徴とするバーコード付き包装体である。
請求項２は、雑誌又は書籍を重ね合わせて包装した包装物の表面に同一のバーコードである第１及び第２のバーコードが印字された伝票を貼付し、その上から十字形またはキの字形にバンドを掛けて結束するバーコード付き包装体において、前記伝票は、包装物表面の対角位置に互いに直交する方向で、かつ自動読み取り装置のスキャン方向順に第１及び第２のバーコードが印刷され、一方のバーコードの一部もしくは第１及び第２のバーコードの異なる部分が前記バンドで隠された状態に配置されていることを特徴とする。
請求項３は、請求項１または請求項２に記載のバーコード付き包装体において、前記第１、第２のバーコードの何れか一方は、自動読み取り装置のスキャン方向順に印刷され、他方はスキャン順と逆方向に印刷されていることを特徴とする。
【０００７】
【発明の実施の形態】
以下、本発明の実施形態を図面を参照して説明する。
図１は、本発明の第１実施形態に係るバーコード付き包装体の一部を破断して示した斜視図である。図１に示すように、バーコード付き包装体１０は、異なるサイズの書籍，雑誌１９を重ね合わせた被包装物１１に、同一内容の第１のバーコード１２及び第２のバーコード１３が順方向且つ平行方向に印刷された伝票１４が載せられており、その上からフィルム等で包装して結束バンド１５がキの字形に掛けられている。
ここで、バーコードリーダのスキャン方向は、左側をスタート（Ｓ）とし右側をエンド（Ｅ）とする方向及び上側をスタート（Ｓ）とし下側をエンド（Ｅ）とする方向を順方向とする。
【０００８】
図１では、第１のバーコード１２のスタート（Ｓ）部分が、また、第２のバーコード１３のエンド（Ｅ）部分がそれぞれ結束バンド１５で覆われている。これらのバーコード１２，１３を、バーコードの合成読み取り機能を有した自動バーコードリーダ（図示せず）で読み取った結果を図２に示す。ここで、向かって左側がバーコードのスタート（Ｓ）で右側がバーコードのエンド（Ｅ）、また、図の斜線部分は結束バンド１５で覆われていたために情報が読み取れなかった部分を示す。
【０００９】
図２において、一番上は第１のバーコード１２の読み取り結果、中央は第２のバーコード１３の読み取り結果、一番下は合成読み取り機能付きバーコードリーダによりこれらを合成した読み取り結果である。
上記したように、第１のバーコード１２のスタート（Ｓ）部分及び第２のバーコード１３のエンド（Ｅ）部分の斜線部分１７，１８は、結束バンド１５で覆われていたために情報が読み取れていないが、これらを合成することにより、自動でバーコードに記された情報を読み取ることができる。
【００１０】
次に、図３を参照して、本発明の第２実施形態について説明する。
図３は、本発明の第２実施形態に係るバーコード付き包装体の一部を破断して示した斜視図である。図３では、バーコード付き包装体２０は、異なるサイズの書籍，雑誌２９を重ね合わせた被包装物２１に、第１のバーコード２２及び第２のバーコード２３が平行方向に印刷された伝票２４が載せられており、その上からフィルム等で包装して結束バンド２５がキの字形に掛けられている。また、このとき、第２のバーコード２３は、第１のバーコード２２と同じ内容のバーコードを、通常の自動読み取り装置のスキャン方向順とは逆の方向に印刷されている。
【００１１】
図３では、第１のバーコード２２及び第２のバーコード２３の左端部分がそれぞれ結束バンド２５で覆われている。通常の自動読み取り装置のスキャン方向順であれば左側がスタート（Ｓ）部分となるので、第１及び第２のバーコード２２，２３はどちらもスタート（Ｓ）部分が読めなくなってしまうが、本実施形態では第２のバーコード２３は通常のスキャン順とは逆の方向に印刷されているので、第１のバーコード２２ではスタート（Ｓ）部分が、第２のバーコード２３ではエンド（Ｅ）部分が覆われていることになる。これらのバーコード２２，２３を、バーコードの合成読み取り機能を有した自動バーコードリーダ（図示せず）で読み取った結果を図４に示す。ここで、向かって左側がバーコードのスタート（Ｓ）で右側がバーコードのエンド（Ｅ）、また、図の斜線部分は結束バンド２５で覆われていたために情報が読み取れなかった部分を示す。
【００１２】
図４において、一番上は第１のバーコード２２の読み取り結果、中央は第２のバーコード２３の読み取り結果、一番下は合成読み取り機能付きバーコードリーダによりこれらを合成した読み取り結果である。
第２実施形態でも上記した第１実施形態同様、第１のバーコード２２のスタート（Ｓ）部分及び第２のバーコード２３のエンド（Ｅ）部分の斜線部分２７，２８は、結束バンド２５で覆われていたために情報が読み取れていないが、これらを合成することにより、自動でバーコードに記された情報を読み取ることができる。
【００１３】
次に、図５を参照して、本発明の第３実施形態について説明する。
図５は、本発明の第２実施形態に係るバーコード付き包装体の一部を破断して示した斜視図である。図５では、バーコード付き包装体３０は、略同一サイズの書籍，雑誌３９を重ね合わせた被包装物３１に、第１のバーコード３２及び第２のバーコード３３が直交する方向に印刷された伝票３４が載せられており、その上からフィルム等で包装して結束バンド３５が十字形に掛けられている。また、このとき、第２のバーコード３３は、第１のバーコード３２と同じ内容のバーコードを、通常の自動読み取り装置のスキャン方向順とは逆の方向に印刷されている。
【００１４】
図５では、第１のバーコード３２の左端部分及び第２のバーコード３３の上端部分がそれぞれ結束バンド３５で覆われている。通常のスキャン順であれば左側及び上側がスタート（Ｓ）部分となるので、第１及び第２のバーコード２２，２３はどちらもスタート（Ｓ）部分が読めなくなってしまうが、本実施形態では第２のバーコード３３は通常のスキャン順とは逆の方向に印刷されているので、第１のバーコード３２ではスタート（Ｓ）部分が、第２のバーコード３３ではエンド（Ｅ）部分が覆われていることになる。これらのバーコード３２，３３を、バーコードの合成読み取り機能を有した自動バーコードリーダ（図示せず）で読み取った結果を図６に示す。ここで、向かって左側がバーコードのスタート（Ｓ）で右側がバーコードのエンド（Ｅ）、また、図の斜線部分は結束バンド３５で覆われていたために情報が読み取れなかった部分を示す。
【００１５】
図６において、一番上は第１のバーコード３２の読み取り結果、中央は第２のバーコード３３の読み取り結果、一番下は合成読み取り機能付きバーコードリーダによりこれらを合成した読み取り結果である。
第３実施形態でも上記した第１及び第２実施形態同様、第１のバーコード３２のスタート（Ｓ）部分及び第２のバーコード３３のエンド（Ｅ）部分の斜線部分３７，３８は、結束バンド３５で覆われていたために情報が読み取れていないが、これらを合成することにより、自動でバーコードに記された情報を読み取ることができる。
【００１６】
なお、本発明において、バーコードを平行に印刷したときには結束バンドをキの字形に掛け、バーコードを直交する方向に印刷したときには結束バンドを十字形に掛けるよう説明したが、バーコードを平行に印刷したときに結束バンドを十字形に掛けたり、バーコードを直交する方向に印刷したときに結束バンドをキの字形に掛けたりしても良く、上記実施の形態に限定されないことは言うまでもない。
【００１７】
【発明の効果】
本発明では、伝票に印刷した２つのバーコードの一部がそれぞれ結束バンドで覆われていても、バーコードの配置を工夫し、「合成読み取り可能とした」伝票に付された２つのバーコードの読み取り結果を合成することによりバーコードの機能を有効に発揮させることができる。
【図面の簡単な説明】
【図１】  本発明の第１実施形態に係るバーコード付き包装体の一部を破断して示した斜視図である。
【図２】  第１実施形態における合成読み取り機能付きバーコードリーダの読み取り結果である。
【図３】  本発明の第２実施形態に係るバーコード付き包装体の一部を破断して示した斜視図である。
【図４】  第２実施形態における合成読み取り機能付きバーコードリーダの読み取り結果である。
【図５】  本発明の第３実施形態に係るバーコード付き包装体の一部を破断して示した斜視図である。
【図６】  第３実施形態における合成読み取り機能付きバーコードリーダの読み取り結果である。
【符号の説明】
１０        包装体                  １１        被包装物
１２，１３  バーコード              １４        伝票
１５        結束バンド              １７，１８  斜線部分
１９        書籍，雑誌
【図１】
0003740404.tif 000002
【図２】
0003740404.tif 000003
【図３】
0003740404.tif 000004
【図４】
0003740404.tif 000005
【図５】
0003740404.tif 000006
【図６】
0003740404.tif 000007